(57)【特許請求の範囲】
【請求項１】
プロジェクタによる画像の投影先に応じて、前記プロジェクタが投影するパターンの画像を生成する生成部と、
光を遮断するパターンを変更することが可能な光遮断部と、
前記プロジェクタが投影したパターンに応じて前記光遮断部が光を遮断するパターンを制御する制御部と、
前記プロジェクタが投影したパターンを背景として、前記光遮断部を介した撮影を行う撮影部と
を備える撮影装置。
【請求項２】
前記プロジェクタは、不可視光線によりパターンを投影し、
前記撮影部は、不可視光線による撮影を行う、
請求項１に記載の撮影装置。
【請求項３】
前記制御部は、前記プロジェクタが投影したパターンを反転したパターンで光を遮断するよう前記光遮断部を制御する、
請求項１又は請求項２に記載の撮影装置。
【請求項４】
前記プロジェクタが、基本パターンを投影し、
前記撮影部が、前記プロジェクタが投影したパターンを撮影し、
前記生成部は、前記撮影部が撮影したパターンが前記基本パターンとなるように、前記プロジェクタが投影するパターンを調整することで、前記投影先に応じたパターンの生成を行う、
請求項１から請求項３のいずれか１つに記載の撮影装置。
【請求項５】
前記撮影部は、撮影空間における屈折率の変化を、シュリーレン法により光学的な輝度の変化として撮影する、
請求項１から請求項４までのいずれか１つに記載の撮影装置。
【請求項６】
前記撮影部が施設内を撮影した画像に基づいて、前記施設内の人の呼気の到達距離を算出する算出部と、
前記算出部が算出した到達距離に基づいて、前記施設内における感染症対策の実施の有無を判定する判定部と
を備える、請求項１から請求項５までのいずれか１つに記載の撮影装置。
【請求項７】
偏光の方向を変更することが可能な偏光部と、
前記偏光部を介した撮影を行う第２の撮影部と
を備える、請求項１から請求項６までのいずれか１つに記載の撮影装置。
【請求項８】
前記第２の撮影部が施設内を撮影した画像に基づいて、前記施設内に存在する被清掃対象物を検出する検出部と、
前記検出部の検出結果に基づいて、前記施設内における感染症対策の実施の有無を判定する判定部と
を備える、請求項７に記載の撮影装置。
【請求項９】
前記プロジェクタを備える、請求項１から請求項８までのいずれか１つに記載の撮影装置。
【請求項１０】
情報処理装置が、
投影先に応じたパターンをプロジェクタにて投影し、
前記プロジェクタが投影したパターンに応じて光遮断部による光を遮断するパターンを制御し、
前記プロジェクタが投影したパターンを背景として前記光遮断部を介して撮影部にて撮影を行うことにより、撮影空間における屈折率の変化をシュリーレン法により光学的な輝度の変化として撮影する、撮影方法。
【請求項１１】
前記情報処理装置が、
基本パターンを前記プロジェクタにて投影先へ投影し、
前記プロジェクタが投影したパターンを前記撮影部にて撮影し、
撮影したパターンが前記基本パターンとなるように、前記プロジェクタが投影するパターンを調整することで、前記投影先に応じたパターンの投影を行う、
請求項１０に記載の撮影方法。
【請求項１２】
前記情報処理装置が、前記基本パターンを反転したパターンで光を遮断するよう前記光遮断部を制御する、
請求項１１に記載の撮影方法。
【請求項１３】
前記情報処理装置が、
偏光の方向を変更することが可能な偏光部を介して第２の撮影部にて撮影を行い、
異なる２つの時点での撮影結果を比較して、撮影対象における偏光状態の変化を検出する、
請求項１０から請求項１２までのいずれか１つに記載の撮影方法。
【請求項１４】
前記情報処理装置が、
施設内の撮影を行い、
撮影結果に基づいて、前記施設内における感染症対策の実施の有無を判定する、
請求項１０から請求項１３までのいずれか１つに記載の撮影方法。
【請求項１５】
コンピュータに、
投影先に応じたパターンをプロジェクタにて投影し、
前記プロジェクタが投影したパターンに応じて光遮断部による光を遮断するパターンを制御し、
前記プロジェクタが投影したパターンを背景として前記光遮断部を介して撮影部にて撮影する
処理を実行させる、コンピュータプログラム。
【発明の詳細な説明】
【技術分野】
【０００１】
本発明は、シュリーレン法を利用した撮影を行う撮影装置、撮影方法及びコンピュータプログラムに関する。
【背景技術】
【０００２】
新型コロナウイルスの集団感染が世界経済に大きな影響を与えている。三密（密閉、密集、密接）の状況は集団感染を招く可能性が高いとされ、飲食店又は映画館等の施設では三密の状況を避けるべく、様々な対策が実施されている。例えば飲食店では、一定の距離を保つように使用できる席を制限する、又は、席の間に敷居を設ける等の対策が行われている。また例えば電車又はオフィス等では、常に窓を開けておくなどの空気を循環させる対策が行われている。しかし、これらの対策により本当に集団感染を防ぐことができているのか、対策を実施した店舗又は施設等が確認する術はない。例えば、飲食店の席の間隔、席の間に設けられた敷居の位置及び大きさ等が、これらの席を利用する人の咳又はくしゃみによるしぶきを防ぐために十分ではない可能性がある。また例えば、窓を開けていても実際には空気が循環していない可能性、及び、扇風機又はエアコン（エアーコンディショナー）等の送風により人から人へ空気を運んでいる可能性等がある。
【０００３】
特許文献１においては、気流の上流側で溶剤を蒸発させて気流中に溶剤蒸気を含ませ、気流の下流側で気流における溶剤蒸気の濃度分布を光学的に可視化することで、気流の乱れを溶剤蒸気の濃度分布として可視化する、気流の乱れを可視化する方法が提案されている。この方法では、可視化をシュリーレン法により行っている。
【先行技術文献】
【特許文献】
【０００４】
【特許文献１】特開２００８−６４６７９号公報
【発明の概要】
【発明が解決しようとする課題】
【０００５】
感染症を防ぐための対策が十分であるか否かを確認するためには、例えば人が咳、くしゃみ又は会話等の際に発する空気の流れ又は空気の循環等を観察することが有効である。特許文献１に記載された気流の乱れを可視化する方法でも用いられているシュリーレン法は、空気等の屈折率の変化を可視化することができる方法であり、例えば人の呼気を可視化することが期待できる。しかし、シュリーレン法による可視化を行うためには、シュリーレン光学系と呼ばれる特別な光学系を構築する必要があり、飲食店又は映画館等の施設に導入することは容易ではない。
【０００６】
本発明は、斯かる事情に鑑みてなされたものであって、その目的とするところは、例えば人の呼気等を可視化するシステムの導入を容易化することが期待できる撮影装置、撮影方法及びコンピュータプログラムを提供することにある。
【課題を解決するための手段】
【０００７】
一実施形態に係る撮影装置は、プロジェクタによる画像の投影先に応じて、前記プロジェクタが投影するパターンの画像を生成する生成部と、光を遮断するパターンを変更することが可能な光遮断部と、前記プロジェクタが投影したパターンに応じて前記光遮断部が光を遮断するパターンを制御する制御部と、前記プロジェクタが投影したパターンを背景として、前記光遮断部を介した撮影を行う撮影部とを備える。
【発明の効果】
【０００８】
一実施形態による場合は、例えば人の呼気等を可視化するシステムの導入を容易化することが期待できる。
【図面の簡単な説明】
【０００９】
【図１】本実施の形態に係る撮影システムの概要を説明するための模式図である。
【図２】本実施の形態に係る撮影装置の構成を示す模式図である。
【図３】本実施の形態に係る撮影装置の情報処理装置の構成を示すブロック図である。
【図４】背景画像及びカットオフグリッドの一例を示す模式図である。
【図５】背景画像及びカットオフグリッドの一例を示す模式図である。
【図６】投影用画像の修正を説明するための模式図である。
【図７】撮影装置が行う投影用画像の生成処理の手順を示すフローチャートである。
【図８】呼気等を可視化した画像の一例を示す模式図である。
【図９】撮影装置が行う感染症対策の判定を説明するための模式図である。
【図１０】本実施の形態に係る撮影装置が行う感染症対策判定処理の手順を示すフローチャートである。
【図１１】偏光板の有無による撮影画像の差異を説明するための画像例である。
【図１２】本実施の形態に係る撮影装置が行う感染症対策判定処理の手順を示すフローチャートである。
【発明を実施するための形態】
【００１０】
本発明の実施形態に係る撮影システムの具体例を、以下に図面を参照しつつ説明する。なお、本発明はこれらの例示に限定されるものではなく、特許請求の範囲によって示され、特許請求の範囲と均等の意味及び範囲内でのすべての変更が含まれることが意図される。
【００１１】
＜システム概要＞
図１は、本実施の形態に係る撮影システムの概要を説明するための模式図である。本実施の形態に係る撮影システムは、例えばレストラン又は喫茶店等の飲食店の店舗（施設）１００に設置されるシステムである。図１に示す例は、店舗１００の壁１０１の付近に設けられた座席に２人の客１０２が対面して座っている様子を示している。本実施の形態に係る撮影システムは、撮影装置１及びディスプレイ装置２を備えている。撮影装置１は、店舗１００の適宜の位置、例えば店舗１００の座席に座る客１０２を撮影することができる位置に設置される。ディスプレイ装置２は、店舗１００の適宜の位置、例えば店舗１００のバックヤード等の客１０２から視認できない位置に設置される。
【００１２】
撮影装置１及びディスプレイ装置２は、有線又は無線の通信を行って互いにデータを送受信することができる。撮影装置１は撮影により得られた画像（動画像）のデータをディスプレイ装置２へ送信し、ディスプレイ装置２は撮影装置１が撮影した画像を表示する。本実施の形態において撮影装置１は、撮影の機能に関して、シュリーレン法を利用して客１０２の呼気及び店舗１００内の空気等の流れを可視化した画像を撮影する機能と、撮影対象の種々の角度の偏光状態を撮影する機能とを備えている。撮影装置１は、呼気及び空気等の流れを可視化した画像、並びに、偏光状態を撮影した画像をディスプレイ装置２へ送信し、ディスプレイ装置２にこれらの画像を表示させることができる。
【００１３】
また本実施の形態に係る撮影装置１は、いわゆるエッジカメラ、ＡＩ（Artificial Intelligence）エッジカメラ又はエッジＡＩカメラ等の名称で呼ばれ得る装置であり、装置内に高度な演算処理を行うプロセッサ等が搭載されている。これにより撮影装置１は、呼気及び空気等の流れを可視化した画像、並びに、偏光状態を撮影した画像に基づいて、種々の画像処理又は判定処理等を行うことができ、処理結果を画像と共にディスプレイ装置２に表示させることができる。本実施の形態において撮影装置１は、撮影により得られた画像に基づいて、店舗１００において十分な感染症対策が実施されているか否かの判定等を行い、感染症対策に関する警告又は注意喚起等の情報をディスプレイ装置２に表示させることができる。
【００１４】
なお、図１においては撮影装置１及びディスプレイ装置２がそれぞれ１つ図示されているが、店舗１００には複数の撮影装置１及びディスプレイ装置２が設置されてよい。例えば複数の撮影装置１が撮影した複数の画像を１つのディスプレイ装置２に表示させてもよい。この場合にディスプレイ装置２は、複数の画像を切り替えて表示してもよく、表示画面を複数の領域に分割して各領域に画像を表示してもよい。また例えば１つの撮影装置１が撮影した画像を複数のディスプレイ装置２に表示させてもよい。この場合に複数のディスプレイ装置２は同じ画像を表示するのではなく、例えば第１のディスプレイ装置２が呼気及び空気の流れを可視化した画像を表示し、第２のディスプレイ装置２が偏光状態を撮影した画像を表示するなど、異なる画像を表示してよい。また例えば複数の撮影装置１が撮影した画像を複数のディスプレイ装置２に表示させてもよい。この場合に、撮影装置１の数とディスプレイ装置２の数とは等しくなくてよい。
【００１５】
またディスプレイ装置２は、店舗１００のバックヤード等の客１０２から視認できない位置に設置するものとしたが、これに限るものではない。例えば撮影装置１が撮影した画像を客１０２が視認することができるように、各座席にディスプレイ装置２を設置してもよい。これにより、店舗１００における感染症対策の有無等を客１０２が把握することができる。
【００１６】
図２は、本実施の形態に係る撮影装置１の構成を示す模式図である。本実施の形態に係る撮影装置１は、プロジェクタ１０と、第１撮影部１１と、第２撮影部１２と、これらの動作を制御する情報処理装置２０とを備えて構成されている。プロジェクタ１０は、画像をスクリーン等に投影する装置であり、本実施の形態においては撮影装置１が設置された店舗１００内の壁１０１等に対して、情報処理装置２０が生成した画像の投影を行う。また本実施の形態に係るプロジェクタ１０は、人間が見ることのできない不可視光線として赤外線による画像の投影を行う。このため店舗１００を利用している客１０２は、壁１０１に対してプロジェクタ１０が投影する画像は視認されない。
【００１７】
第１撮影部１１は、シュリーレン法による呼気及び空気等の流れを可視化した画像を撮影する撮影部である。第１撮影部１１は、レンズ１１ａ、カットオフグリッド１１ｂ及び赤外線用レンズ１１ｃ等を備えて構成されている。レンズ１１ａ、カットオフグリッド１１ｂ及び赤外線用レンズ１１ｃは、例えば円筒状のケースに並べて収容されている。レンズ１１ａは、光を屈折させて収束させる光学素子であり、第１撮影部１１の撮影対象の像を結像する。カットオフグリッド１１ｂは、レンズ１１ａから赤外線用レンズ１１ｃへ至る光の一部をカット（遮断）する。本実施の形態においてカットオフグリッド１１ｂは、例えば液晶パネルを用いて構成されており、光をカットするパターンを変更することができる。情報処理装置２０は、カットオフグリッド１１ｂによるカットパターンを制御する。赤外線用レンズ１１ｃは、赤外線（例えば波長が０．７マイクロメートル〜１０００マイクロメートルの光）を透過させ、赤外線以外の光を透過させない。赤外線用レンズ１１ｃは、カットオフグリッド１１ｂを通過した赤外線を撮像素子（図示は省略する）上へ収束する。第１撮影部１１は、例えばＣＣＤ（Charge Coupled Device）又はＣＭＯＳ（Complementary Metal Oxide Semiconductor）等の撮像素子を備えており、赤外線用レンズ１１ｃが収束した赤外線による像を撮影し、撮影により得られる画像のデータを情報処理装置２０へ出力する。
【００１８】
第２撮影部１２は、偏光状態を撮影する撮影部である。第２撮影部１２は、偏光板１２ａ及び可視光線用レンズ１２ｂを備えて構成されている。偏光板１２ａ及び可視光線用レンズ１２ｂは、例えば円筒状のケースに並べて収容されている。偏光板１２ａは、特定方向の光を通過させ、これ以外の光を遮断する光学素子である。本実施の形態に係る偏光板１２ａは、例えばモータを用いた回転機構を有しており、情報処理装置２０の制御に応じて回転させることができる。これにより第２撮影部１２は、偏光板１２ａを任意の角度だけ回転させて、任意の方向で遮光した画像を撮影することができる。可視光線用レンズ１２ｂは、可視光線（例えば波長が３６０ナノメートル〜８３０ナノメートルの光）を透過させ、これ以外の光を透過させない。可視光線用レンズ１２ｂは、偏光板１２ａを通過した可視光線を撮像素子（図示は省略する）上へ収束する。第２撮影部１２は、例えばＣＣＤ又はＣＭＯＳ等の撮像素子を備えており、可視光線用レンズ１２ｂが収束した像を撮影し、撮影により得られる画像のデータを情報処理装置２０へ出力する。なお、第１撮影部１１及び第２撮影部１２は、個別に撮像素子を備えてもよく、１つの撮像素子を共有してもよい。
【００１９】
情報処理装置２０は、撮影装置１の各部の動作を制御すると共に、第１撮影部１１及び第２撮影部１２の撮影により得られた画像を利用する種々の処理を行う。図３は、本実施の形態に係る撮影装置１の情報処理装置２０の構成を示すブロック図である。本実施の形態に係る情報処理装置２０は、処理部２１、入出力部２２、記憶部２３及び通信部２４等を備えて構成されている。
【００２０】
処理部２１は、ＣＰＵ（Central Processing Unit）、ＭＰＵ（Micro-Processing Unit）又はＧＰＵ（Graphics Processing Unit）等の演算処理装置、ＲＯＭ（Read Only Memory）、及び、ＲＡＭ（Random Access Memory）等を用いて構成されている。処理部２１は、記憶部２３に記憶されたプログラム２３ａを読み出して実行することにより、プロジェクタ１０、第１撮影部１１及び第２撮影部１２等を制御する処理、並びに、撮影により得られた画像に基づく感染症対策の判定処理等の種々の処理を行う。
【００２１】
入出力部２２は、プロジェクタ１０、第１撮影部１１及び第２撮影部１２との間でデータの入出力を行う。入出力部２２は、例えば信号線を介してプロジェクタ１０、第１撮影部１１及び第２撮影部１２と接続されており、信号線を介したシリアル通信又はパラレル通信等によりデータの入出力を行う。入出力部２２は、処理部２１から与えられたデータをプロジェクタ１０、第１撮影部１１又は第２撮影部１２へ適宜に送信すると共に、プロジェクタ１０、第１撮影部１１又は第２撮影部１２から入力されたデータを処理部２１へ与える。
【００２２】
記憶部２３は、例えばフラッシュメモリ又はＥＥＰＲＯＭ（Electrically Erasable Programmable Read Only Memory）等の不揮発性のメモリ素子を用いて構成されている。記憶部２３は、処理部２１が実行する各種のプログラム、及び、処理部２１の処理に必要な各種のデータを記憶する。本実施の形態において記憶部２３は、処理部２１が実行するプログラム２３ａを記憶する。また記憶部２３は、プロジェクタ１０が投影する画像のデータ、第１撮影部１１及び第２撮影部１２が撮影した画像のデータ等を記憶してもよい。
【００２３】
通信部２４は、車内ＬＡＮ（Local Area Network）又は無線ＬＡＮ（Local Area Network）等のネットワークを介して、種々の装置との間で通信を行う。本実施の形態において通信部２４は、ディスプレイ装置２との間で通信を行い、第１撮影部１１及び第２撮影部１２が撮影した画像等のデータをディスプレイ装置２へ送信し、ディスプレイ装置２に画像を表示させる。通信部２４及びディスプレイ装置２の間の通信は、有線又は無線のいずれであってもよい。通信部２４は、処理部２１から与えられたデータを他の装置へ送信すると共に、他の装置から受信したデータを処理部２１へ与える。
【００２４】
本実施の形態においてプログラム２３ａは、例えば撮影装置１の製造段階において記憶部２３に書き込まれる。また例えばプログラム２３ａは、遠隔のサーバ装置等が配信するものを撮影装置１が通信にて取得してもよい。また例えばプログラム２３ａは、メモリカード又は光ディスク等の記録媒体に記録された態様で提供され、撮影装置１は記録媒体からプログラム２３ａを読み出して記憶部２３に記憶してもよい。また例えばプログラム２３ａは、記録媒体に記録されたものを書込装置が読み出して撮影装置１の記憶部２３に書き込んでもよい。プログラム２３ａは、ネットワークを介した配信の態様で提供されてもよく、記録媒体に記録された態様で提供されてもよい。
【００２５】
また本実施の形態に係る撮影装置１の処理部２１には、記憶部２３に記憶されたプログラム２３ａを処理部２１が読み出して実行することにより、投影用画像生成部２１ａ、撮影処理部２１ｂ及び感染症対策判定部２１ｃ等がソフトウェア的な機能部として実現される。
【００２６】
投影用画像生成部２１ａは、プロジェクタ１０が投影する画像のデータを生成する処理を行う。プロジェクタ１０が投影する画像は、シュリーレン法による呼気等を可視化した画像を第１撮影部１１にて撮影するために用いられる。本実施の形態においてプロジェクタ１０が投影する画像のパターンは、例えば白黒又はモノクローム等による縞模様（グリッド模様）の画像が採用されるが、これに限るものではなく、種々のパターン（模様）が採用され得る。また本実施の形態において投影用画像生成部２１ａは、プロジェクタ１０が画像を投影する投影先（図２に示す例では壁１０１）の形状及び模様等に応じて、プロジェクタ１０が投影する縞模様を調整した画像を生成する。投影用画像生成部２１ａは、投影先の形状及び模様等に応じて、投影する縞模様の形状及び大きさ等を最適化し、最適化した縞模様の画像を生成してプロジェクタ１０へ与えることにより、生成した画像をプロジェクタ１０に投影させる。なお本実施の形態においては、プロジェクタ１０は縞模様の画像を赤外線で投影する。
【００２７】
撮影処理部２１ｂは、第１撮影部１１及び第２撮影部１２による撮影を制御する処理を行う。撮影処理部２１ｂは、第１撮影部１１による呼気等を可視化した画像の撮影を行う。このときに撮影処理部２１ｂは、第１撮影部１１のカットオフグリッド１１ｂが光りを遮断するパターンを、プロジェクタ１０が投影先の壁１０１等に投影したパターン（模様）に応じて変化させる。本実施の形態において撮影処理部２１ｂは、プロジェクタ１０が投影する縞模様の白黒を反転したパターン、即ちプロジェクタ１０が投影した縞模様の白に相当する部分を遮断するパターンとなるように、カットオフグリッド１１ｂによる遮断のパターンを制御する。このパターンでカットオフグリッド１１ｂが光を遮断することにより、第１撮影部１１は、撮影装置１とプロジェクタ１０の映像が投影される壁１０１等との間に存在する客１０２の呼気及び店舗１００内の空気の流れ等をシュリーレン法により可視化した画像を撮影することができる。なお本実施の形態において撮影処理部２１ｂは、第１撮影部１１にて呼気等を可視化した画像を動画像として撮影する。
【００２８】
なお本実施の形態においてカットオフグリッド１１ｂは、プロジェクタ１０が投影したパターンを反転したパターンで光を遮断するものとするが、これに限るものではない。カットオフグリッド１１ｂは、プロジェクタ１０の投影パターンに対して、完全な反転パターンではなく、完全な反転パターンに対して多少のずれ又は相違等のある不完全な反転パターンで光を遮断してもよく、この場合であっても第１撮影部１１にて呼気等を可視化した画像を撮影することはできる。カットオフグリッド１１ｂによる遮断パターンは、第１撮影部１１により呼気等を可視化した画像を撮影し得るパターンであればどのようなパターンであってもよい。
【００２９】
また撮影処理部２１ｂは、第２撮影部１２による偏光状態の撮影を行う。このときに撮影処理部２１ｂは、第２撮影部１２の偏光板１２ａに設けられた回転機構の回転角度を制御して、第２撮影部１２による撮影を行う。撮影処理部２１ｂは、例えば回転機構を所定角度（例えば１°又は１０°等）ずつ回転させて、偏光板１２ａによる偏光の角度を所定角度ずつ変化させて、第２撮影部１２による撮影を行う。例えば店舗１００の座席を第２撮影部１２の偏光板１２ａを通して撮影することで、座席のテーブルに付着した水滴又は食べ残し等の汚れの存在を撮影することができる。また撮影処理部２１ｂが偏光板１２ａを回転させて偏光の角度を変化させることで、１つの角度では発見が難しい汚れを別の角度からの撮影で発見することができる。撮影処理部２１ｂは、所定のタイミングで複数回、例えば座席を客１０２が使用する前と後とに、偏光板１２ａを１回転させてそれぞれ複数回の撮影を行う。撮影処理部２１ｂは、偏光の角度が同じであり且つ異なるタイミングで撮影された２つの画像を比較することで、偏光状態の変化の有無を判定する。使用前の汚れのないテーブルの偏光状態を基準として、使用後の偏光状態との比較を行うことで、撮影処理部２１ｂは、使用に伴うテーブルの汚れ、又は、店舗１００における清掃が十分でない箇所等の清掃を行うべき対象物（被清掃対象物）を精度よく検出することができる。
【００３０】
また撮影処理部２１ｂは、上記のように所定のタイミングで偏光板１２ａを回転させて第２撮影部１２による撮影を行う場合以外には、回転機構を回転させずに偏光板１２ａの角度を固定した状態で第２撮影部１２による撮影を継続的に行う。このときに撮影された画像は、例えば画像から人の顔を検出する処理、人体を検出する処理又は人の行動を認識する処理等に用いられる。即ち撮影処理部２１ｂは、第２撮影部１２により通常の店舗１００内の撮影を行い、所定のタイミングで偏光板１２ａの角度を変化させて第２撮影部１２による偏光状態の撮影を行っている。第２撮影部１２による通常の撮影で得られた画像から例えば座席の客１０２による仕様の前後のタイミングを判断し、撮影処理部２１ｂは、偏光板１２ａの角度を変化させて偏光状態の撮影を行う。
【００３１】
感染症対策判定部２１ｃは、第１撮影部１１及び第２撮影部１２の撮影により得られた画像に基づいて、店舗１００内で感染症対策が実施されているか否か、実施されている感染症対策が十分であるか否か等を判定する処理を行う。なお本実施の形態において感染症は、例えば新型コロナウイルス又はインフルエンザウイルス等のウイルスによる感染症を想定しているが、これに限るものではなく、どのようなウイルス又は細菌等による感染症であってもよい。また感染症対策としては、客１０２の間に十分な距離（いわゆる、ソーシャルディスタンス）を確保すること、及び、座席等の汚れを残さないよう清潔に保つこと等の対策を想定しているが、これに限るものではない。
【００３２】
例えば感染症対策判定部２１ｃは、第１撮影部１１が撮影した呼気を可視化した画像に基づいて、客１０２の呼気が届く距離を算出する。感染症対策判定部２１ｃは、算出した距離の範囲内に別の客１０２が存在している場合、感染症対策が十分ではないと判定する。このときに感染症対策判定部２１ｃは、例えば第２撮影部１２が撮影した画像から客１０２の人体検出又は顔検出等を行って客１０２の位置を検出し、客１０２の顔の付近から吹き出される呼気の到達範囲を判定することができる。例えば感染症対策判定部２１ｃは、撮影画像中の呼気に相当する屈折率が変化している箇所を抽出し、顔検出結果に基づいて息を吐いた人の位置を始点とし、この人から最も離れた呼気の端部分を終点として、始点から終点までの距離を算出することができる。また感染症対策判定部２１ｃは、顔検出の結果に基づいて、２人の客１０２の距離を算出することができる。１人の客１０２の呼気が他の客１０２の付近にまで到達する場合、即ち２人の客１０２の距離が呼気の到達する距離より短い場合、感染症対策判定部２１ｃはこの２人の客１０２の距離は十分ではないと判断できる。
【００３３】
また例えば感染症対策判定部２１ｃは、第２撮影部１２が撮影した偏光状態に関する画像に基づいて、店舗１００内が清潔に保たれているか否かを判定する。このときに感染症対策判定部２１ｃは、第２撮影部１２が撮影した画像から客１０２及び店員等の人体検出を行って、検出した人の行動パターンを解析する。解析結果に基づいて感染症対策判定部２１ｃは、客１０２による座席の使用の有無及び店員による座席の清掃の有無等を判定する。感染症対策判定部２１ｃは、客１０２が使用する前等の座席が清潔な状態において偏光板１２ａの角度を変化させて撮影した偏光状態の画像を基準とし、客１０２が座席を使用した後又は更にその後に店員が座席を清掃した後において偏光板１２ａの角度を変化させて撮影した偏光状態の画像との比較を行う。感染症対策判定部２１ｃは、異なる２つのタイミングで撮影された画像を比較して偏光状態が変化しているか否かを判定する。偏光状態が変化している場合、感染症対策判定部２１ｃは、後のタイミングに撮影された画像において偏光状態が変化している箇所が、例えば水滴又は食べこぼし等の汚れであるか否か（清掃を行うべき非清掃対象物であるか否か）を判定し、汚れである場合には感染症対策が十分でないと判定する。なお偏光状態が変化している箇所が汚れであるか否かの判定は、どのような方法で行われてもよいが、例えば汚れた座席と清潔な座席とを識別するように予め機械学習がなされた学習モデルを利用して行われ得る。
【００３４】
＜呼気等の可視化処理＞
本実施の形態に係る撮影装置１は、プロジェクタ１０及び第１撮影部１１により、シュリーレン法を用いた呼気等を可視化した画像の撮影を行う。シュリーレン法は、透明な気体中の密度勾配により通過する光が屈折する現象を利用し、屈折率の変化を明暗の差として観測する方法である。従来のシュリーレン法ではナイフエッジを含む光学系が利用されていたが、近年ではデジタルフォーカシングシュリーレン法又は背景指向性シュリーレン法と呼ばれる方法が提案されている。これらのシュリーレン法では、観測対象の背景に縞模様等の背景画像を配置し、背景画像に対応するカットオフグリッドを通して撮影を行うことで、観測対象における屈折率の変化を明暗の差とした画像を撮影することができ、観測対象の呼気又は空気の流れ等を可視化した画像を得ることができる。図１及び図２に示す例では、店舗１００の壁１０１にプロジェクタ１０が投影する画像が背景画像となる。
【００３５】
図４及び図５は、背景画像及びカットオフグリッドの一例を示す模式図である。なお図４及び図５に示す背景画像は、プロジェクタ１０が壁１０１に投影したものを、カットオフグリッド１１ｂによる遮断なしで、第１撮影部１１が撮影する画像に相当する。この背景画像は、プロジェクタ１０が投影する画像に必ずしも一致しない。図示の背景画像は、ハッチングを付した領域が黒（暗）色であり、ハッチングを付していない領域が白（明）色である。また図４及び図５に示すカットオフグリッドは、第１撮影部１１のカットオフグリッド１１ｂにて光を遮断するパターンである。図示のカットオフグリッドは、ハッチングを付した領域が光を遮断する領域であり、ハッチングを付していない領域が光りを透過させる領域である。
【００３６】
図４に示す背景画像は、モノクロームの横縞模様であり、本例では黒色領域が太く、白色領域が細い縞模様となっている。これに対応するカットオフグリッドは、背景画像の白黒を反転させたパターンであり、本例では遮断領域が細く、透過領域が太い横縞模様のパターンとなる。撮影装置１の撮影処理部２１ｂは、プロジェクタ１０が投影した背景画像を反転させたパターンで光を遮断すべく、カットオフグリッド１１ｂによる遮断のパターンを制御する。また背景画像及びカットオフグリッドは縞模様に限らず、例えば図５に示すような円形の図形が並べられた模様、いわゆる水玉模様であってもよく、また例えば文字又は数字等が適宜に並べられたパターンであってもよく、これら以外の様々なパターンであってよい。本実施の形態に係る撮影装置１は、プロジェクタ１０の投影先となる壁１０１の形状、色及び模様等に応じて、プロジェクタ１０が投影する画像を適宜に調整及び変更等して最適化する。
【００３７】
このため、本実施の形態に係る撮影装置１は、例えば店舗１００等に設置された際に、プロジェクタ１０が投影する画像を決定する処理を行う。撮影装置１は、例えば初期設定等の操作がユーザによりなされた場合に、記憶部２３にデフォルトの投影用画像として記憶された画像をプロジェクタ１０にて店舗１００の壁１０１へ投影する。撮影装置１は、第１撮影部１１のカットオフグリッド１１ｂを全領域について光を遮断しない状態とし、第１撮影部１１にて壁１０１に投影された画像の撮影を行う。撮影装置１は、第１撮影部１１にて撮影した画像に基づいて、デフォルトの投影用画像を修正する。
【００３８】
図６は、投影用画像の修正を説明するための模式図である。図６の上段左側には、撮影装置１が記憶するデフォルトの投影用画像の一例として、横縞模様の画像が示されている。撮影装置１がこの投影用画像をプロジェクタ１０にて店舗１００の壁１０１へ投影し、第１撮影部１１にて撮影して得られた画像が、図６の上段右側に示す撮影画像であるとする。例えば店舗１００の壁１０１に凹凸又は段差等のような形状が変化する箇所が存在する場合に、プロジェクタ１０が投影した画像はこの箇所で屈曲又は湾曲等の歪みが生じた状態で第１撮影部１１にて撮影される。
【００３９】
撮影装置１は、第１撮影部１１にて撮影した画像に基づいて、撮影画像をデフォルトの投影用画像に近付けるよう（撮影画像とデフォルトの投影用画像とが一致するよう）、投影用画像を修正する。図６の下段左側には、修正後の投影用画像の一例が示されている。撮影装置１は、例えば第１撮影部１１にて撮影した画像から横縞模様が歪んでいる箇所を検出し、この歪みを取り除く方向へデフォルトの撮影用画像の該当箇所を歪ませることで、撮影用画像を修正することができる。なお、この撮影装置１による撮影用画像の修正方法は一例であり、これに限るものではなく、種々の修正方法が採用されてよい。撮影用画像の修正には、例えばプロジェクションマッピング等の技術を用いることができる。また例えば、予め機械学習がなされた学習モデルを用いて投影用画像を生成してもよい。この場合に学習モデルは、例えば投影された歪みのある模様を撮影した画像と、この画像を適切に修正した投影用画像とを対応付けた教師データを用いて予め機械学習がなされ、第１撮影部１１が撮影した画像を入力することで投影用画像を出力するよう構成され得る。
【００４０】
また図６に示した投影用画像を修正の例は、投影用画像の形状を修正するものである。図示は省略するが、撮影装置１は、投影用画像の濃淡を修正してもよい。例えば店舗１００の壁１０１に模様等が描かれている場合、プロジェクタ１０が投影した模様に濃淡が生じる場合がある。そこで撮影装置１は、第１撮影部１１にて撮影した撮影画像の縞模様の濃淡が均一になるように、投影用画像の濃淡を修正する。撮影装置１は、例えば壁１０１に描かれている模様等において光をより吸収する部分に対し、より強い光を出力するように、投影の際の光の強弱を修正する。
【００４１】
図７は、撮影装置１が行う投影用画像の生成処理の手順を示すフローチャートである。本実施の形態に係る撮影装置１の処理部２１の投影用画像生成部２１ａは、記憶部２３に記憶されたデフォルトの投影用画像を読み出してプロジェクタ１０へ与えることにより、デフォルトの投影用画像をプロジェクタ１０にて投影する（ステップＳ１）。投影用画像生成部２１ａは、プロジェクタ１０により投影された画像を、第１撮影部１１にて撮影する（ステップＳ２）。なおこのときに投影用画像生成部２１ａは、第１撮影部１１のカットオフグリッド１１ｂについて、光を遮断しないように遮断のパターンを制御する。投影用画像生成部２１ａは、第１撮影部１１にて撮影した画像に基づいて、撮影画像中の模様がデフォルトの投影用画像の模様と同じになるように、デフォルトの投影用画像を修正する（ステップＳ３）。
【００４２】
次いで投影用画像生成部２１ａは、修正後の投影用画像をプロジェクタ１０へ与えることにより、修正後の投影用画像をプロジェクタ１０にて投影する（ステップＳ４）。投影用画像生成部２１ａは、プロジェクタ１０により投影された画像を、第１撮影部１１にて撮影する（ステップＳ５）。なおこのときにも投影用画像生成部２１ａは、第１撮影部１１のカットオフグリッド１１ｂについて、光を遮断しないように遮断のパターンを制御する。投影用画像生成部２１ａは、第１撮影部１１のカットオフグリッド１１ｂによる光を遮断するパターンを、ステップＳ５にて撮影した画像の濃淡（白黒）を反転させたパターンとなるように決定し（ステップＳ６）、処理を終了する。
【００４３】
なお、撮影装置１による投影用画像の修正及びカットオフグリッド１１ｂによる遮断のパターンの決定等は、撮影装置１が店舗１００に設置された際に行うのみでなく、例えば１日に１回又は１ヶ月に１回等の適宜のタイミングで行われてよい。
【００４４】
上述の手順によりプロジェクタ１０が投影する投影用画像の生成、及び、第１撮影部１１のカットオフグリッド１１ｂによる遮断パターンの決定等を行った後、撮影装置１は、修正後の投影用画像をプロジェクタ１０にて店舗１００の壁１０１へ向けて投影し、決定した遮断のパターンでカットオフグリッド１１ｂによる光の遮断を行い、第１撮影部１１による撮影を行う。この撮影により撮影装置１は、客１０２の呼気又は店舗１００内の空気の流れ等を可視化した画像を撮影することができ、撮影した画像をディスプレイ装置２に表示させることができる。図８は、呼気等を可視化した画像の一例を示す模式図である。なお図示の画像は、撮影装置１が撮影する画像から人の呼気が可視化されている箇所を拡大して抜き出した画像に相当する。客１０２の呼気を可視化した画像をディスプレイ装置２に表示することによって、店舗１００の店員等は、客１０２の呼気が他の客１０２に到達しているか否か、客１０２及び座席等の間隔が十分であるか否か等を、容易に目視で確認することができる。
【００４５】
また本実施の形態に係る撮影装置１は、呼気を可視化した画像に基づいて客１０２の呼気の到達範囲等を判定し、店舗１００の感染症対策が十分になされているか否かを判定する処理を行う。図９は、撮影装置１が行う感染症対策の判定を説明するための模式図である。撮影装置１は、第１撮影部１１が撮影した画像に基づいて、画像中の屈折率が変化した箇所、即ち客１０２の呼気等が生じた箇所を検出する。図９の左上には、第１撮影部１１が撮影した呼気を可視化した画像が示されている。呼気に相当する箇所が屈折率の変化として可視化されており、撮影装置１は屈折率が変化している箇所を検出することができる。
【００４６】
また撮影装置１は、第２撮影部１２が撮影した画像に基づいて、画像に映された客１０２又は店員等の人について人体検出又は顔検出等を行う。人体検出及び顔検出等の処理は、既存の技術であるため、詳細な説明を省略する。図９の右上には、第２撮影部１２が撮影した画像にて人の顔検出を行った結果が図示されている。人の顔部分を囲む四角枠が顔検出の結果である。撮影装置１は、呼気の検出結果と人の顔の検出結果とを図９の下段に示す図のように重ね合わせることで、息を吐いた人がいずれの人であるかを判断することができる。また撮影装置１は、顔及び人体の検出結果に基づいて、撮影された人の位置を判断することができる。例えば撮影装置１は、足の位置から奥行き方向について人の位置を判断することができる。また撮影装置１は、この人の呼気の到達距離を画像から算出し、この到達距離の範囲内に別の人が存在するか否かを、別の人の顔及び人体の検出結果から判断することができる。撮影装置１は、客１０２の呼気の到達範囲内に別の客１０２の顔又は身体等が存在すると判定した場合、例えばディスプレイ装置２に警告メッセージ等を表示する。このときに撮影装置１は、警告メッセージと共に、例えば判定に用いた呼気の画像、及び、顔検出結果等の情報を表示してもよい。また撮影装置１は、呼気の到達距離に予め設定されたマージンの距離を加えた合計距離を算出し、この合計距離の範囲内に別の客１０２が存在するか否かを判定してもよい。マージンの距離は、例えば本システムの開発者等が設定してもよく、また例えば店舗１００の店員等が設定してもよい。
【００４７】
図１０は、本実施の形態に係る撮影装置１が行う感染症対策判定処理の手順を示すフローチャートである。本実施の形態に係る撮影装置１の処理部２１の撮影処理部２１ｂは、第１撮影部１１による撮影を行って、撮影した画像を取得する（ステップＳ１１）。処理部２１の感染症対策判定部２１ｃは、第１撮影部１１の撮影画像に屈折率が変化している箇所があるか否かを判定する（ステップＳ１２）。屈折率が変化している箇所がない場合（Ｓ１２：ＮＯ）、感染症対策判定部２１ｃは、撮影画像中に呼気が存在しないと判断して、処理を終了する。
【００４８】
屈折率が変化している箇所がある場合（Ｓ１２：ＹＥＳ）、感染症対策判定部２１ｃは、第２撮影部１２が撮影した画像を取得する（ステップＳ１３）。感染症対策判定部２１ｃは、第２撮影部１２の撮影画像に対して人の顔及び体等を検出する処理を行う（ステップＳ１４）。感染症対策判定部２１ｃは、第１撮影部１１の撮影画像において屈折率が変化している箇所、即ち呼気の箇所と、第２撮影部１２の撮影画像からの顔検出処理の結果とに基づき、店舗１００内の人又は座席等の距離が適切であるか否かを判定する（ステップＳ１５）。このときに感染症対策判定部２１ｃは、例えば人の呼気の到達範囲内に他の人が存在するか否かを判定する。人の呼気の到達範囲内に他の人の顔及び体等が存在せず、距離が適切であると判定した場合（Ｓ１５：ＹＥＳ）、感染症対策判定部２１ｃは、処理を終了する。人の呼気の到達範囲内に他の人の顔又は身体等が存在し、距離が適切でないと判定した場合（Ｓ１５：ＮＯ）、感染症対策判定部２１ｃは、ディスプレイ装置２にて警告メッセージ等の表示を行い（ステップＳ１６）、処理を終了する。
【００４９】
＜偏光状態に基づく判定処理＞
本実施の形態に係る撮影装置１は、偏光板１２ａを回転させて偏光の角度を変化させることにより、複数の角度での偏光状態を第２撮影部１２にて撮影することができる。図１１は、偏光板１２ａの有無による撮影画像の差異を説明するための画像例である。図１１に示す２つの画像は、水滴がこぼれた机を撮影したものである。図１１の左側の画像が偏光板１２ａによる偏光なしでの撮影画像であり、右側の画像が偏光板１２ａを用いた所定角度の偏光ありでの撮影画像である。偏光なしの撮影画像では、透明な水滴の存在を確認することは難しい。これに対して偏光ありの撮影画像では、机にこぼれた水滴の存在を目視で確認することができる。撮影装置１は、偏光板１２ａを通して撮影した画像をディスプレイ装置２に表示してもよい。
【００５０】
また撮影装置１は、撮影対象となる店内及び座席等が清潔な状態で第２撮影部１２が撮影した複数の偏光の角度における画像を、基準となる画像として記憶部２３に記憶している。撮影装置１は、例えば客１０２が座席を使用した後等の適宜のタイミングで、第２撮影部１２により複数の偏光の角度での撮影を行う。撮影装置１は、基準となる画像と、適宜のタイミングで撮影した画像とを比較して、例えば２つの画像の画素値の差を算出して、偏光状態が変化した箇所を検出することができる。
【００５１】
また本実施の形態に係る撮影装置１は、例えばニューラルネットワークによる学習モデルを用いることにより、第２撮影部１２が撮影した画像に基づいて店舗１００内の店員等の行動認知処理を行う。学習モデルは、店員等が座席を清掃する行動が識別可能となるように、機械学習又は深層学習等の学習処理がなされる。学習モデルの学習処理は、例えば撮影装置１が行ってもよく、また例えば撮影装置１とは異なるサーバ装置等が学習処理を行って学習済の学習モデルを撮影装置１がサーバ装置等から取得してもよい。なお、学習モデルを用いた行動認知処理は、既存の技術であるため、詳細な説明を省略する。
【００５２】
撮影装置１は、第２撮影部１２が撮影した画像を学習モデルへ入力し、店員等が座席を清掃する行動を行ったと学習モデルが認識した場合に、偏光板１２ａを回転させることで偏光の角度を変化させて第２撮影部１２による撮影を行う。撮影装置１は、基準となる画像と、撮影した画像とを比較して、偏光状態の変化の有無を判定する。例えば撮影装置１は、基準となる画像との画素値の差が閾値を超える箇所が存在するか否かに応じて、撮影した画像に偏光状態の変化があるか否かを判定することができる。偏光状態の変化がない場合に、撮影装置１は、撮影した座席等に汚れが付着しておらず、座席等が清潔であると判断することができる。偏光状態の変化がある場合、撮影装置１は、座席等に汚れが付着している可能性があると判断することができ、感染症対策が不十分であるとの警告メッセージ等をディスプレイ装置２に表示することができる。
【００５３】
また撮影装置１は、第２撮影部１２が撮影した画像と清潔な状態の基準となる画像との比較により汚れの付着の有無を判定するのではなく、又は、この判定と共に、例えばニューラルネットワークによる学習モデルを用いて座席等が清潔であるか否かを判定してもよい。学習モデルは、様々な角度で偏光状態を撮影した清潔な座席等の対象の画像と、同じく様々な角度で偏光状態を撮影した汚れた対象の画像とを教師データとして、予め機械学習又は深層学習等の学習処理がなされる。清潔な座席等は、例えばアルコール消毒等がなされた座席等とすることができる。汚れた座席等は、例えば食べこぼし又は水滴等が付着した座席等とすることができる。学習処理により、学習モデルはこれらの清潔な座席等と汚れた座席等とを第２撮影部１２の撮影画像から判定することが可能となる。学習モデルの学習処理は、例えば撮影装置１が行ってもよく、また例えば撮影装置１とは異なるサーバ装置等が学習処理を行って学習済の学習モデルを撮影装置１がサーバ装置等から取得してもよい。
【００５４】
撮影装置１は、例えば行動認知処理を行う学習モデルにより店員等が座席を清掃する行動を行ったと判断した場合に、第２撮影部１２による一又は複数の偏光状態を撮影した画像を、汚れの有無を判定する学習モデルへ入力する。撮影装置１は、入力した画像に応じて学習モデルが出力する汚れの有無の判定結果を取得し、座席等に汚れが付着しているとの判定結果が得られた場合には、感染症対策が不十分であるとの警告メッセージ等をディスプレイ装置２に表示することができる。
【００５５】
図１２は、本実施の形態に係る撮影装置１が行う感染症対策判定処理の手順を示すフローチャートである。本実施の形態に係る撮影装置１の処理部２１の感染症対策判定部２１ｃは、第２撮影部１２が撮影した画像に基づいて学習モデルを用いた行動認知処理を行う（ステップＳ２１）。これにより感染症対策判定部２１ｃは、例えば店舗１００の店員が座席を清掃する行動を認知し、店員が座席を清掃したことを感染症対策の有無の判定タイミングとして処理を行うことができる。感染症対策判定部２１ｃは、行動認知処理の結果に基づいて、感染症対策の有無の判定タイミングに至ったか否かを判定する（ステップＳ２２）。判定タイミングに至っていない場合（Ｓ２２：ＮＯ）、感染症対策判定部２１ｃは、ステップＳ２１へ処理を戻し、判定タイミングに至るまで行動認知処理を継続して行う。
【００５６】
判定タイミングに至った場合（Ｓ２２：ＹＥＳ）、感染症対策判定部２１ｃは、第２撮影部１２の偏光板１２ａの角度を変化させて、複数の偏光方向における偏光状態の撮影を行う（ステップＳ２３）。感染症対策判定部２１ｃは、基準となる画像と、ステップＳ２３にて撮影した画像とを比較することにより、偏光状態の変化の有無を判定する（ステップＳ２４）。偏光状態に変化がない場合（Ｓ２４：ＮＯ）、感染症対策判定部２１ｃは、処理を終了する。
【００５７】
偏光状態に変化がある場合（Ｓ２４：ＹＥＳ）、感染症対策判定部２１ｃは、ステップＳ２３にて撮影した画像を、汚れの有無を判定する学習モデルへ入力する（ステップＳ２５）。感染症対策判定部２１ｃは、学習モデルが出力する情報を取得して、撮影された座席等が清潔であるか否かを判定する（ステップＳ２６）。清潔であると判定した場合（Ｓ２６：ＹＥＳ）、感染症対策判定部２１ｃは、処理を終了する。座席等に汚れがあり、清潔ではないと判定した場合（Ｓ２６：ＮＯ）、感染症対策判定部２１ｃは、ディスプレイ装置２にて警告メッセージ等の表示を行い（ステップＳ２７）、処理を終了する。
【００５８】
＜まとめ＞
以上の構成の本実施の形態に係る撮影装置１は、プロジェクタ１０による画像の投影先となる店舗１００の壁１０１の形状又は模様等に応じて、プロジェクタ１０が投影する模様の画像を生成する。撮影装置１は、プロジェクタ１０が投影した模様に応じてカットオフグリッド１１ｂによる光を遮断するパターンを制御する。撮影装置１は、プロジェクタ１０が投影した模様を背景として、カットオフグリッド１１ｂを介した撮影を第１撮影部１１にて行う。これにより撮影装置１は、人の呼気又は空気の流れ等を可視化した画像を撮影することができる。
【００５９】
また本実施の形態に係る撮影装置１は、プロジェクタ１０が赤外線により模様の投影を行い、第１撮影部１１が赤外線による撮影を行う。これにより、撮影装置１のプロジェクタ１０が投影する模様は人間が不可視の模様となるため、店舗１００の壁１０１等に投影しても客１０２に視認されることがない。よって、店舗１００等に撮影装置１等を導入することに対する難易度を低減することが期待できる。
【００６０】
また本実施の形態に係る撮影装置１は、プロジェクタ１０が投影した模様を第１撮影部１１にて撮影し、撮影した模様を反転したパターンでカットオフグリッド１１ｂによる光の遮断を行う。これにより撮影装置１は、シュリーレン法により、撮影空間における屈折率の変化を光学的な輝度の変化として第１撮影部１１にて撮影することができる。
【００６１】
また本実施の形態に係る撮影装置１は、偏光板１２ａを回転機構にて回転することで偏光の方向を変更することを可能とし、偏光板１２ａを介した撮影を第２撮影部１２が行う。これにより撮影装置１は、種々の方向について偏光状態を撮影することができ、撮影対象に付着した水滴又は食べ残し等の汚れを精度よく検出することが期待できる。
【００６２】
また本実施の形態に係る撮影装置１は、プロジェクタ１０、第１撮影部１１及び第２撮影部１２を備えて構成されている。これらを１つの撮影装置１に搭載することによって、呼気等を可視化した画像を撮影するシステム、及び、偏光状態を撮影するシステムを店舗１００等に導入することを容易化することが期待できる。
【００６３】
また本実施の形態に係る撮影装置１は、デフォルトの投影用画像として記憶した基本の模様（基本パターン）をプロジェクタ１０にて投影し、プロジェクタ１０が投影した模様を第１撮影部１１にて撮影し、撮影した模様が基本の模様（基本パターン）となるように、プロジェクタ１０が投影する投影用画像の模様を調整することで、投影先の壁１０１の形状又は模様等に応じた模様の投影を行う。これにより第１撮影部１１は、精度のよい縞模様等の模様を背景に撮影を行うことができ、精度のよい呼気等の可視化を行うことができる。
【００６４】
また本実施の形態に係る撮影装置１は、店舗１００等の施設内の撮影を行って、撮影結果に基づいて施設内における感染症対策の実施の有無を判定する。これにより店舗１００の定員等は、店舗１００内における感染症対策が十分になされているか否かをよういに判断することができる。
【００６５】
なお本実施の形態においては、撮影装置１を店舗１００等の施設内に設置するものとしたが、撮影装置１の設置は店舗１００に限らない。撮影装置１は、例えばライブハウス、イベント会場、映画館、スポーツジム、学校又は会社等の種々の施設に設置され得る。また撮影装置１の設置は施設内に限らず、屋外であってもよい。
【００６６】
また本実施の形態においては、撮影画像に基づく感染症対策の実施の有無の判定を撮影装置１が行う構成としているが、これに限るものではない。例えば撮影装置１に有線又は無線で接続されたＰＣ（パーソナルコンピュータ）又はディスプレイ装置２が撮影装置１により撮影された画像を取得してこれらの判定処理を行ってもよい。また例えば、撮影装置１が遠隔のサーバ装置へ撮影した画像を送信し、画像を受信したサーバ装置が判定処理を行って判定結果を撮影装置１又はディスプレイ装置２等へ送信する構成、いわゆるクラウドコンピューティングの構成が採用されてもよい。
【００６７】
また本実施の形態においては、撮影装置１のプロジェクタ１０が赤外線で模様を投影し、第１撮影部１１が赤外線用レンズ１１ｃにて撮影を行う構成を採用したが、これに限るものではない。例えば赤外線以外の不可視光線を用いて投影及び撮影が行われてもよく、また例えば可視光線を用いて投影及び撮影が行われてもよい。
【００６８】
また本実施の形態においては、撮影装置１が偏光の角度を可変とした第２撮影部１２を備える構成としたが、これに限るものではなく、撮影装置１は第２撮影部１２を備えていなくてもよい。即ち、撮影装置１は、呼気等を可視化した画像を撮影して感染症対策の有無を判定する機能を有し、偏光状態に基づく感染症対策の有無を判定する機能を有していなくてもよい。ただしこの場合であっても、撮影装置１は、赤外線での撮影を行う第１撮影部１１とは別に、可視光線での撮影を行う撮影部を備えていることが好ましい。
【００６９】
今回開示された実施形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００７０】
１  撮影装置
２  ディスプレイ装置
１０  プロジェクタ
１１  第１撮影部（撮影部）
１１ａ  レンズ１１ａ
１１ｂ  カットオフグリッド（光遮断部）
１１ｃ  赤外線用レンズ
１２  第２撮影部（第２の撮影部）
１２ａ  偏光板（偏光部）
１２ｂ  可視光線用レンズ
２０  情報処理装置（コンピュータ）
２１  処理部（生成部、制御部、算出部、判定部、検出部）
２１ａ  投影用画像生成部
２１ｂ  撮影処理部
２１ｃ  感染症対策判定部
２２  入出力部
２３  記憶部
２３ａ  プログラム（コンピュータプログラム）
２４  通信部
１００  店舗
１０１  壁
１０２  客
【要約】
【課題】人の呼気等を可視化するシステムの導入を容易化することが期待できる撮影装置、撮影方法及びコンピュータプログラムを提供する。
【解決手段】本実施の形態に係る撮影装置は、プロジェクタによる画像の投影先に応じて、前記プロジェクタが投影する模様の画像を生成する生成部と、光を遮断するパターンを変更することが可能な光遮断部と、前記プロジェクタが投影した模様に応じて前記光遮断部が光を遮断するパターンを制御する制御部と、前記プロジェクタが投影した模様を背景として、前記光遮断部を介した撮影を行う撮影部とを備える。前記プロジェクタは、不可視光線により前記模様を投影し、前記撮影部は、不可視光線による撮影を行ってもよい。
【選択図】図１【図１】
0006796306.tif 000002
【図２】
0006796306.tif 000003
【図３】
0006796306.tif 000004
【図４】
0006796306.tif 000005
【図５】
0006796306.tif 000006
【図６】
0006796306.tif 000007
【図７】
0006796306.tif 000008
【図８】
0006796306.tif 000009
【図９】
0006796306.tif 000010
【図１０】
0006796306.tif 000011
【図１１】
0006796306.tif 000012
【図１２】
0006796306.tif 000013